(57)【要約】【課題】  薄く且つ摺動性が良く、装飾部材の全体を表示することができ、加工が容易なバンドの装飾部材固定構造を提供することにある。【解決手段】  桟８は、一方の端部８ａがバンド本体２に軸着されて開閉自在に取り付けられ、他方の端部８ｃが解放端となっている。この桟８は、その端部８ｃが装飾部材１６の貫通孔１６ａに通され、固定板１２で固定される。装飾部材１６は桟８によって支持され、着脱自在であると共に摺動可能な状態でバンド本体２に取り付けられる。固定板１２は、桟８の解放端を上から押えて固定するものであり、確実に固定することができるだけでなく操作性が良いものとなっている。【選択図】  図２
2005342276.tif 000002
【特許請求の範囲】
【請求項１】
バンドに取り付けられる一端を軸として、装飾部材を挿通するための桟をバンド長手方向に開閉自在に設け、側面に貫通孔を有する前記装飾部材を前記桟に挿入し、前記桟の他端を固定手段で固定することを特徴とするバンドの装飾部材固定構造。
【請求項２】
前記桟は、バンド長手方向に開閉自在に複数設けられていることを特徴とする請求項１記載のバンドの装飾部材固定構造。
【請求項３】
前記固定手段は、前記バンドに取り付けられるバンド短手方向の一端を軸としてバンド短手方向に開閉自在に設けられる固定板を有し、該固定板の他端を前記バンドに係合させて閉状態にすることにより、前記固定板が前記桟の他端に係合して固定することを特徴とする請求項１記載のバンドの装飾部材固定構造。
【請求項４】
前記バンドの端部には、前記桟の他端に適合する溝部が設けられ、前記桟の他端を前記溝部に嵌め込むことにより、前記桟の位置を規制することを特徴とする請求項３記載のバンドの装飾部材固定構造。
【請求項５】
前記固定手段は、前記バンドに取り付けられる固定手段本体と、該固定手段本体に開閉自在に取り付けられる表板とを備え、該表板を閉じることにより前記桟の他端を前記固定手段本体と表板との間に挟持して固定することを特徴とする請求項１記載のバンドの装飾部材固定構造。
【請求項６】
前記表板は前記固定手段本体に係合し且つバンド短手方向に前記桟の他端に適合する間隔をあけて設けられる一対の係合突起を有し、該係合突起の間に前記桟の他端を嵌め込むことにより、前記桟の位置を規制することを特徴とする請求項５記載のバンドの装飾部材固定構造。
【請求項７】
前記固定手段は、前記バンドに取り付けられる固定手段本体と、該固定手段本体に開閉自在に取り付けられる表板とを備え、
前記固定手段本体には、バンド短手方向の両端角部に配置される操作部と該操作部の押圧操作により接近してロック解除状態になるロック部とを有する一対の係合片と、該係合片がバンド短手方向に離れるようにそれぞれ付勢して前記ロック部をロック状態にする弾性部材とが設けられ、
前記表板には、前記固定手段本体に対向する面に係止部が設けられ、
前記表板を閉じることにより前記桟の他端を前記固定手段本体と表板との間に挟持し、前記係止部をロック状態にある前記ロック部に係合させて固定し、前記操作部を押圧して前記ロック部をロック解除状態にして前記係止部の係合を解除し、前記表板を開くことで前記桟の固定を解除することを特徴とする請求項１記載のバンドの装飾部材固定構造。
【請求項８】
前記操作部の側面は、誤動作防止のため前記固定手段本体の側面と略同一面をなし、且つ、前記操作部の押圧操作を可能とするため前記固定手段本体の上面に窓部が設けられていることを特徴とする請求項７記載のバンドの装飾部材固定構造。
【請求項９】
前記固定手段本体に取り付けられた表板の軸に、バネが設けられ、前記固定手段本体に対して表板が開く方向に付勢されていることを特徴とする請求項７記載のバンドの装飾部材固定構造。
【発明の詳細な説明】
【技術分野】
【０００１】
本発明は、バンドに着脱可能に装飾部材を取り付けると共に、確実且つ簡単に取り付けた装飾部材を固定するバンドの装飾部材固定構造に関するものである。
【背景技術】
【０００２】
リング状の外形を保つバングルバンド、あるいはバンドの一部に彎曲形状を保持する部分が設けられたハーフバングルバンド等においては、従来、その表面に凹凸の模様を形成したり、表面に宝石等を固定することにより装飾が施されていた。このようにバンドの表面に装飾を施したものでは、バンド自体を取り替えなければ装飾を変更することができなかった。
【０００３】
そこで、使用者が好みに応じてバンドに装飾を取り付けたり取り外したり自在に行うことができるものが提案されていた。このバンドは、バンド本体の内部に、その係止縁部に囲まれて上面中央に形成された装飾用窓を有する係止摺動溝を有し、この係止摺動溝内に板状の装飾駒を移動可能に遊嵌したものとなっている。そして、係止縁部を形成する上板部材を開く等により装飾駒を係止摺動溝内に取り付けたり取り外すことができるように構成していた（特許文献１参照）。
【特許文献１】実開昭６０−５６３１３号公報
【発明の開示】
【発明が解決しようとする課題】
【０００４】
しかしながら、上記従来技術におけるバンドでは、バンド本体と上板部材とをバンド表裏方向に重ねることにより装飾駒を収める空間を確保しており、バンドの総厚が厚くなるという問題があった。
【０００５】
また、その係止摺動溝は、バンド本体と同様に彎曲しており、彎曲した係止摺動溝の内部曲面と板状の装飾駒の外部平面との馴染みが悪く、装飾駒の摺動性が悪いという問題もあった。
【０００６】
また、バンドの係止摺動溝に遊嵌される装飾駒は、その外周部分が係止摺動溝内に収まることで保持されている。このため、装飾駒の全体を表示することができなかった。
【０００７】
また、バンドの内部に溝を形成する等、構造や形状が複雑であり、各部の加工に非常に手間がかかるものであった。
【０００８】
本発明は、上記従来技術の課題に鑑みなされたもので、薄く且つ摺動性が良く、装飾部材の全体を表示することができ、加工が容易なバンドの装飾部材固定構造を提供するものである。
【課題を解決するための手段】
【０００９】
本発明のバンドの装飾部材固定構造は、バンドに取り付けられる一端を軸として、装飾部材を挿通するための桟をバンド長手方向に開閉自在に設け、側面に貫通孔を有する前記装飾部材を前記桟に挿入し、前記桟の他端を固定手段で固定するものである。また、前記桟は、バンド長手方向に開閉自在に複数設けられている。
このバンドの装飾部材固定構造における前記固定手段は、前記バンドに取り付けられるバンド短手方向の一端を軸としてバンド短手方向に開閉自在に設けられる固定板を有し、該固定板の他端を前記バンドに係合させて閉状態にすることにより、前記固定板が前記桟
の他端に係合して固定するものとなっている。また、前記バンドの端部には、前記桟の他端に適合する溝部が設けられ、前記桟の他端を前記溝部に嵌め込むことにより、前記桟の位置を規制するものとなっている。
また、このバンドの装飾部材固定構造における前記固定手段は、前記バンドに取り付けられる固定手段本体と、該固定手段本体に開閉自在に取り付けられる表板とを備え、該表板を閉じることにより前記桟の他端を前記固定手段本体と表板との間に挟持して固定するものとなっている。また、前記表板は前記固定手段本体に係合し且つバンド短手方向に前記桟の他端に適合する間隔をあけて設けられる一対の係合突起を有し、該係合突起の間に前記桟の他端を嵌め込むことにより、前記桟の位置を規制するものとなっている。
また、このバンドの装飾部材固定構造における前記固定手段は、前記バンドに取り付けられる固定手段本体と、該固定手段本体に開閉自在に取り付けられる表板とを備え、前記固定手段本体には、バンド短手方向の両端角部に配置される操作部と該操作部の押圧操作により接近してロック解除状態になるロック部とを有する一対の係合片と、該係合片がバンド短手方向に離れるようにそれぞれ付勢して前記ロック部をロック状態にする弾性部材とが設けられ、前記表板には、前記固定手段本体に対向する面に係止部が設けられ、前記表板を閉じることにより前記桟の他端を前記固定手段本体と表板との間に挟持し、前記係止部をロック状態にある前記ロック部に係合させて固定し、前記操作部を押圧して前記ロック部をロック解除状態にして前記係止部の係合を解除し、前記表板を開くことで前記桟の固定を解除するものとなっている。また、前記操作部の側面は、誤動作防止のため前記固定手段本体の側面と略同一面をなし、且つ、前記操作部の押圧操作を可能とするため前記固定手段本体の上面に窓部が設けられている。また、前記固定手段本体に取り付けられた表板の軸には、バネが設けられ、前記固定手段本体に対して表板が開く方向に付勢されている。
【発明の効果】
【００１０】
本発明によれば、バンドに開閉する桟を取り付け、この桟を装飾部材の貫通孔に通すことで装飾部材を着脱自在に取り付けており、このように基本的な構造が簡素であるため、バンドの厚み内に桟と装飾部材を収めることができ、バンドの総厚が厚くなることがない。
また、装飾部材の貫通孔に桟を通すことで装飾部材を取り付けているので、貫通孔の形状や大きさの設定次第で装飾部材の摺動性を設定することができ、更に、装飾部材の外面が桟等によって隠れることがなく、装飾部材全体を表示することができる。
また、装飾部材を取り付ける構造が簡素であり、桟を固定する固定手段も簡素な構造のものや、固定手段だけで組み立てた後でバンドに取り付ける構造のものを用いているので、加工や組立が容易であり、作業性及び量産性を向上させることができる。
【発明を実施するための最良の形態】
【００１１】
本発明のバンドの装飾部材固定構造では、一端がバンドに軸着されて開閉自在に取り付けられ、他端が解放端となっている桟を設けており、この桟を、貫通孔を有する装飾部材に通し、解放端を固定手段で固定している。これにより、装飾部材は桟によって支持され、着脱自在であると共に摺動可能な状態でバンドに取り付けられる。また、固定手段は、桟の解放端を固定板で上から押えて固定するもの、桟の解放端を固定手段本体と表板との間に挟んで固定するもの、プッシュボタンを押圧するだけで固定解除することができるものを用いており、確実に固定することができるだけでなく操作性が良いものとなっている。
【実施例１】
【００１２】
図１は本発明の実施例１に係るバンドの装飾部材固定構造を用いた時計を示す斜視図、図２はその装飾部材固定構造における装飾部材を着脱するときの状態を示すバンドの斜視図、図３乃至図５は図１に示すバンドの正面図、平面図及び側面図である。
【００１３】
２はバンド本体であり、本実施例においては、リングを４分の１に分割したような彎曲した枠状部材からなる。このバンド本体２は、その一端が時計体４に取り付けられ、他端にバンド駒６等が取り付けられており、何れもバネ棒や連結駒等を用いた一般的な構造にて取り付けられている。
【００１４】
８は丸棒、角柱等の細長い棒状をなす桟であり、バンド本体２と同様に彎曲している。この桟８は、バンド本体２の一方の端部２ａをバンド短手方向に貫通する軸１０によってその端部８ａが軸支されている。即ち、バンド本体２の端部２ａは、図１及び図２に示すように、縁部２ｂによってバンド短手方向につながっており、その中央に切欠２ｃが設けられている。この切欠２ｃは、その中を軸１０が横切るように形成されており、この切欠２ｃ内に桟８の端部８ａが嵌め込まれ、端部８ａに設けられた貫通孔を軸１０が貫通することで軸支されている。また、図３に示すように、バンド本体２のバンド長手方向の縁部２ｄ，２ｅが端部２ａにてつながっておらず、この縁部２ｄ，２ｅ間に軸１０を架け渡すように構成しても良い。この場合、縁部２ｄ，２ｅの間隔に相当する長さの管状部８ｂを桟８の端部８ａに設け、この管状部８ｂを軸１０が貫通するように構成すれば、端部８ａのバンド短手方向の位置を規制することができる。このように端部８ａがバンド体２に軸着された桟８は、バンド長手方向に開閉可能な状態になる。
【００１５】
また、桟８の他方の端部８ｃは、桟８を閉じた場合、図２及び図４に示すように、バンド本体２の他方の端部２ｈにあるバンド短手方向の縁部２ｆに達し、この縁部２ｆの表面に設けられたバンド長手方向の溝部２ｇに嵌り込んで、表面側に飛び出さずにバンド本体２の中央でバンド本体２の厚み内に収まるように構成されている。
【００１６】
１２は桟８の端部８ｃを固定する固定手段としての固定板である。この固定板１２は、図２及び図５に示すように、バンド本体２の縁部２ｄの端部２ｈ付近に一方の端部１２ａが軸着されて、バンド短手方向に開閉可能な状態となっている。バンド本体２の縁部２ｄの端部２ｈ付近の表面側には切欠２ｉが設けられており、バンド本体２の端部２ｈの端面からバンド長手方向の縁部２ｄ内に向かって通された軸１４が、この切欠２ｉを横切り、このときに切欠２ｉに嵌め込んだ固定板１２の端部１２ａに設けられた貫通孔を軸１４が貫通して、固定板１２は開閉可能な状態で取り付けられる。この固定板１２を閉じた状態にすると、その他方の端部１２ｂはバンド本体２の縁部２ｅに達し、その先端にある屈曲した係止部１２ｃが縁部２ｅの外面等に食付いて係止する。このときに、固定板１２が桟８の表面側をバンド短手方向に横切って桟８を押えるので、桟８はその解放された端部８ｃが固定板１２と縁部２ｆとの間に挟まれて固定される。尚、バンド本体２の縁部２ｅの端部２ｈ付近の表面と桟８の端部８ｃ付近の表面に、図２に示すような切欠２ｊ、８ｄを設けることにより、ここに固定板１２が嵌り込んで、固定板１２を閉じたときに、固定板１２が表面側に飛び出さず、バンド本体１２の厚み内に収まるようにすることができる。
【００１７】
１６は装飾部材であり、本実施例では、バンド本体２の縁部２ｄ、２ｅ間に収まる外径を有する円柱形状に形成されている。この装飾部材１６の側面には、貫通孔１６ａが設けられている。この貫通孔１６ａは、桟８に適合する内部形状を有しており、桟８が挿通され摺動自在に支持される。この装飾部材１６は、図２に示すように、開かれた桟８の端部８ｃを貫通孔１６ａに通すことにより桟８に取り付けられる。本実施例では、装飾部材１６を桟８に複数取り付けている。
【００１８】
上記構成からなる装飾部材固定構造では、固定板１２を開いて桟８の端部８ｃを解放し、さらに軸１０を中心として桟８を回転させて開く。この状態にすることにより、桟８から装飾部材１６を取り外したり、他の装飾部材１６と入れ換えることが可能となる。このように装飾部材１６の入れ換え等を行った後、桟８を回転させて閉じ、その端部８ｃをバ
ンド本体２の縁部２ｆの溝部２ｇに嵌め込み、固定板１２を閉じてその係合部１２ｃをバンド本体２の縁部２ｅに係合させる。この状態にすることにより、桟８はその開放されている端部８ｃ付近が固定板１２によって表面方向から押さえられ、この固定板１２とバンド本体２の溝部２ｇの内面との間に挟まれて固定される。装飾部材16は、金属、貴金属、貴石、セラミックス等の材質で、宝石（宝石、台座付宝石）、銘板、成形されたアクセサリー等である。
【００１９】
上記のように、桟８及び固定板１２の構成及び操作は極めて簡単であり、また、桟８、固定板１２等が全てバンド本体２の厚み内に収まっており、操作性や量産性だけでなくデザインも薄型になり優れたものにすることができる。
【実施例２】
【００２０】
図６は本発明の実施例２に係るバンドの装飾部材固定構造を示すバンドの斜視図、図７はその装飾部材固定構造における装飾部材を着脱するときの状態を示す斜視図、図８は図６に示す固定手段の断面図である。
【００２１】
本実施例における装飾部材２６は実施例１の装飾部材１６と同一の構成からなり、また、バンド本体２２及び桟２８は、基本的構成が実施例１の図３に示すバンド本体２及び桟８とほぼ同じように構成されている。このバンド本体２２は、バンド長手方向の縁部２２ｄ，２２ｅからなり、一方の端部２２ａ付近には桟２８の端部２８ａに設けられた管状部２８ｂが挟まれて、軸３０が縁部２２ｄ、２２ｅに架け渡されるときに管状部２８ｂを貫通するように構成されている。このような構成により桟２８はバンド本体２２に開閉自在に取り付けられている。
【００２２】
また、バンド本体２２の他方の端部２２ｈには、縁部２２ｄ、２２ｅの間に固定手段３２が設けられている。この固定手段３２は、固定手段本体３２ａと表板３２ｂとから構成されている。固定手段本体３２ａは、図７及び図８に示すように、その表面側に段部３２ｃを有している。この段部３２ｃは、バンド長手方向の載置面３２ｄ、そこから立ち上がる係合面３２ｅ、その上端に設けられた斜面からなる案内面３２ｆにより構成されている。一方、表板３２ｂは、その一端が軸３８により開閉自在に固定手段本体３２ａの端部に取り付けられている。これにより表板３２ｂは、軸３８を中心として回転させることにより、固定手段本体３２ａに重なる状態（閉じた状態）又は固定手段本体３２ａから離れた状態（開いた状態）にすることができる。また、この表板３２ｂには、その解放された他方の端部付近の固定手段本体３２ａに対向する面に一対の突出部３２ｇ、３２ｈが設けられている。この突出部３２ｇ、３２ｈは、表板３２ｂを閉じたときに、段部３２ｃの係合面３２ｅに食い付くように係合し、表板３２ｂを閉じた状態に保持するものである。尚、案内面３２ｅは、突出部３２ｇ、３２ｈを係合面３２ｆに係合し易くするために形成されている。
【００２３】
上記構成からなる装飾部材固定構造では、前述した実施例１と同様にして桟２８を回転させて開き、その端部２８ｃから装飾部材２６を抜き取ったり、端部２８ｃを装飾部材２６の貫通孔２６ａに通すことにより、装飾部材２６を着脱する。その後、桟２８を回転させて閉じる。このときに、桟２８の端部２８ｃを固定手段本体３２ａの載置面３２ｄの上に載せる。ここで表板３２ｂを閉じると、桟２８の端部２８ｃは、固定手段本体３２ａの載置面３２ｄとこれに対向する表板３２ｂの内面との間に挟まれて固定される。この状態のときに、表板３２ｂの突出部３２ｇ、３２ｈは、係合面３２ｅに係合し、表板３２ｂを閉じた状態に保持する。また、この突出部３２ｇ、３２ｈのバンド短手方向の間隔は、桟２８の端部２８ｃに適合する間隔に設定されており、表板３２ｂが閉じられると、この突出部３２ｇ、３２ｈの間に桟２８の端部２８ｃが嵌って、バンド短手方向の位置決めがなされる。
【００２４】
本実施例における固定手段３２は、その固定手段本体３２ａをバンド本体２２に一体に形成し、そこに表板３２ｂを取り付けることで形成することもできるが、固定手段３２を組み立てた後、軸、ネジ等によりバンド本体２２の縁部２２ｄ、２２ｅ間に取り付けた方が各部の形成及び組立が容易であり好ましい。
【実施例３】
【００２５】
図９は本発明の実施例３に係るバンドの装飾部材固定構造を示す固定手段部分の斜視図、図１０は図９に示す固定手段の断面図、図１１は図１０に示す固定手段の内部機構を示す斜視図、図１２はその分解斜視図である。
【００２６】
本実施例における装飾部材、バンド本体２２及び桟２８は、実施例２のものと同一のものであり、同一の符号を付してある。本実施例における特徴部分は固定手段４２であり、この固定手段４２が実施例２と異なっている。この固定手段４２は、固定手段本体４２Ａと、一方の端部が軸４８により固定手段本体４２Ａに開閉自在に軸着された表板４２Ｂとを備えている。
【００２７】
固定手段本体４２Ａは、ケース４２Ｃとその内部に設けられた内部機構４２ｃを有している。この内部機構４２ｃは、図１１及び図１２に示すように、内部機構４２ｃをユニット化して取り扱い易くするためのハウジング４２ｄと、その中に一部が収められる一対の係合片４２ｅ、４２ｆと、係合片４２ｅ、４２ｆをそれぞれ付勢する弾性部材としてのコイルバネ４２ｇ、４２ｈとを備えている。ハウジング４２ｄは、バンド短手方向が開口した箱状をなすもので、その表面及び裏面の中央にそれぞれ矩形状の貫通孔４２ｉ、４２ｊが設けられている。この貫通孔４２ｉ、４２ｊは後述する表板４２ｂの係止部を通すためのものである。係合片４２ｅ、４２ｆは、その一方の端部にコの字形状に屈曲された操作部４２ｋ、４２ｍをそれぞれ有し、他方の端部にバンド短手方向に互い違いに組み合わされることにより矩形状の空間を形成する略Ｌ形状をなす平板状のロック部４２ｎ、４２ｐをそれぞれ有している。
【００２８】
また、係合片４２ｅ、４２ｆには、ハウジング４２ｄ内に収められるコイルバネ４２ｈ、４２ｇにそれぞれ係合してバンド短手方向に離れるように付勢される段部４２ｑ、４２ｒと、ハウジング４２ｄの一部を切り起こした突起４２ｔ、４２ｓに係合して係合片４２ｅ、４２ｆの移動範囲を規制する切欠４２ｕ、４２ｖが設けられている。
【００２９】
ケース４２Ｃには、その表面に桟２８の端部２８ｃに適合する溝部４２ａが設けられ、また、表面の中央に貫通孔４２ｚ、バンド短手方向端部の角部に矩形状の窓部４２ｘ、４２ｙがそれぞれ設けられている。
【００３０】
一方、表板４２Ｂには、それを閉じたときに固定手段本体４２Ａに対向する面に先端が径大となる円柱状の係止部４２ｂが設けられている。この係止部４２ｂは、表板４２Ｂを閉じると、固定手段本体４２Ａの貫通孔４２ｚからその内部に入り、内部機構４２ｃによって係合及び係合解除されるものである。
【００３１】
上記構成からなる装飾部材固定構造では、前述した実施例２と同様にして桟２８を回転させて開き、その端部２８ｃから装飾部材を着脱する。その後、桟２８を回転させて閉じる。このときに、桟２８の端部２８ｃを固定手段本体４２Ａの溝部４２ａに嵌め込む。ここで表板４２Ｂを閉じると、桟２８の端部２８ｃは、固定手段本体４２Ａの溝部４２ａの内面とこれに対向する表板４２Ｂの内面との間に挟まれて固定される。この状態のときに、表板４２Ｂの係止部４２ｂは、ケース４２Ｃ内の内部機構４２ｃに係合し、表板４２Ｂを閉じた状態に保持する。
【００３２】
図１０に示すように、貫通孔４２ｚからケース４２Ｃ内に挿入された係止部４２ｂは、その径大な先端によって図１１に示す係合片４２ｅ、４２ｆのロック部４２ｎ、４２ｐの屈曲した先端部分をコイルバネ４２ｇ、４２ｈの力に抗してバンド短手方向へ押し退けてその裏面側へ通り抜ける。係止部４２ｂの先端が通過すると、コイルバネ４２ｇ、４２ｈにより付勢されている係合片４２ｅ、４２ｆは離れるように移動し、互い違いに組み合わされているロック部４２ｎ、４２ｐの先端は互いに近付いてその間の空間を狭めてロック状態にする。これにより、係止部４２ｂの径大な先端は、ロック部４２ｎ、４２ｐに係止して表面方向へ引き抜くことができなくなり、表板４２Ｂを閉じた状態に保持する。
【００３３】
その後、ケース４２Ｃの窓部４２ｘ、４２ｙに適合している係合片４２ｅ、４２ｆの操作部４２ｋ、４２ｍを押し込んで係合片４２ｅ、４２ｆを近付けると、互い違いに配置されているロック部４２ｎ、４２ｐの先端はバンド短手方向に離れてその間の空間が広がる。これにより係止部４２ｂの先端はロック部４２ｎ、４２ｐの間を通過することができるようになってロックが解除され、ここで表板４２Ｂを開けば、桟２８の端部２８ｃを解放することができる。
【００３４】
尚、固定手段４２の操作部４２ｅ、４２ｆの操作性をより良好にするため、図９に示すように、バンド本体２２の縁部２２ｄ、２２ｅの端部２２ｈ付近の表面に切欠２２ｆ、２２ｇを設けても良い。また、固定手段４２は、予め固定手段４２だけを組み立てた後、ネジ等を用いてバンド本体２２に取り付けられており、固定手段４２とバンド本体２２との組み付けは極めて簡単な作業で行うことができる。また、実施例３における操作部４２ｅ、４２ｆは、誤動作を防止するため、その側面が固定手段本体４２Ａのケース４２Ｃの側面と略同一面をなすように位置付けられており、操作部４２ｅ、４２ｆの押圧操作ができるように、固定手段本体４２Ａのケース４２Ｃの上面に窓部４２ｘ、４２ｙが設けられている。また、実施例３における表板４２Ｂの開閉を容易にするため、図９に示すように、表板４２Ｂの軸部分にバネ４９を取り付けて、固定手段本体４２Ａに対して表板４２Ｂが開く方向に表板４２Ｂを付勢している。
【００３５】
また、上記実施例１、２及び３においては、桟８、２８を１本としたが、桟を複数（２本等）設け、形状が異なる装飾部材をそれぞれの桟に挿通することで、デザインバリエーションの拡大を図ることができる。また、上記実施例においては、ハーフバングルバンドを使用して説明したが、バングルバンド、駒（ハーフバングルバンドより短く、一般の駒より若干長い駒）にも使用できることは云うまでもない。
【産業上の利用可能性】
【００３６】
本発明のバンドの装飾部材固定構造は、時計バンドだけでなくバングル、指輪等の装身具にも広く使用することができる。
【図面の簡単な説明】
【００３７】
【図１】本発明の実施例１に係るバンドの装飾部材固定構造を用いた時計を示す斜視図である。
【図２】図１に示す装飾部材固定構造における装飾部材を着脱するときの状態を示すバンドの斜視図である。
【図３】図１に示すバンドの正面図である。
【図４】図１に示すバンドの平面図である。
【図５】図１に示すバンドの側面図である。
【図６】本発明の実施例２に係るバンドの装飾部材固定構造を示すバンドの斜視図である。
【図７】図６に示す装飾部材固定構造における装飾部材を着脱するときの状態を示す斜視図である。
【図８】図６に示す固定手段の断面図である。
【図９】本発明の実施例３に係るバンドの装飾部材固定構造を示す固定手段部分の斜視図である。
【図１０】図９に示す固定手段の断面図である。
【図１１】図１０に示す固定手段の内部機構を示す斜視図である。
【図１２】図１１に示す内部機構の分解斜視図である。
【符号の説明】
【００３８】
２、２２        バンド本体
２ａ、２２ａ    端部
２ｂ            縁部
２ｃ            切欠
２ｄ、２２ｄ    縁部
２ｅ、２２ｅ    縁部
２ｆ            縁部
２ｇ            溝部
２ｈ、２２ｈ    端部
２ｉ、２ｊ      切欠
４              時計本体
６              駒
８、２８        桟
８ａ、２８ａ    端部
８ｂ、２８ｂ    管状部
８ｃ、２８ｃ    端部
８ｄ            切欠
１０、３０      軸
１２            固定板
１２ａ          端部
１２ｂ          端部
１２ｃ          係止部
１６            装飾部材
１６ａ          貫通孔
３２、４２      固定手段
３２ａ          固定手段本体
３２ｂ          表板
３２ｃ          段部
３２ｄ          載置面
３２ｅ          係合面
３２ｆ          案内面
３２ｇ、３２ｈ  突出部
４２Ａ          固定手段本体
４２Ｂ          表板
４２Ｃ          ケース
４２ａ          溝部
４２ｂ          係止部
４２ｃ          内部機構
４２ｄ          ハウジング
４２ｅ、４２ｆ  係合片
４２ｇ、４２ｈ  コイルバネ
４２ｉ、４２ｊ  貫通孔
４２ｋ、４２ｍ  操作部
４２ｎ、４２ｐ  ロック部
４２ｑ、４２ｒ  段部
４２ｓ、４２ｔ  突起
４２ｕ、４２ｖ  切欠
４２ｘ、４２ｙ  窓部
４２ｚ          貫通孔
４８            軸
４９            バネ
【図１】
2005342276.tif 000003
【図２】
2005342276.tif 000004
【図３】
2005342276.tif 000005
【図４】
2005342276.tif 000006
【図５】
2005342276.tif 000007
【図６】
2005342276.tif 000008
【図７】
2005342276.tif 000009
【図８】
2005342276.tif 000010
【図９】
2005342276.tif 000011
【図１０】
2005342276.tif 000012
【図１１】
2005342276.tif 000013
【図１２】
2005342276.tif 000014